(57)【要約】【課題】コストを削減するとともに、利便性を向上できる洗車機を提供する。【解決手段】洗車機本体１を被洗浄車両ＣＡに対して前後方向に相対移動させながら、被洗浄車両ＣＡの洗車を行う洗車機ＷＡにおいて、洗車機本体１に対して離れて設置されるともに、タッチパネルにより形成される表示部４１を有したリモートパネル４０を備え、洗車条件を設定する設定画面４１ｂが、表示部４１のユーザが接触した位置の近傍に表示される。【選択図】図４
2014184864.tif 000002
【特許請求の範囲】
【請求項１】
洗車機本体を被洗浄車両に対して前後方向に相対移動させながら、被洗浄車両の洗車を行う洗車機において、
前記洗車機本体に対して離れて設置されるともに、タッチパネルにより形成される表示部を有したリモートパネルを備え、
洗車条件を設定する設定画面が、前記表示部にユーザが接触した位置の近傍に表示されることを特徴とする洗車機。
【請求項２】
前記リモートパネルが鉛直な回転軸で回動可能に配されるとともに、
前記リモートパネルの面前に停車した被洗浄車両を検知する車両検知センサを備え、
前記車両検知センサによる被洗浄車両の検知時に前記表示部が被洗浄車両に面した操作位置に回動されるとともに、
前記車両検知センサによる被洗浄車両の非検知時に前記表示部が前記操作位置と異なる方向に向けて回動されることを特徴とする請求項１に記載の洗車機。
【請求項３】
前記設定画面の周囲に広告画面を表示したことを特徴とする請求項１又は２に記載の洗車機。
【請求項４】
前記リモートパネルにマイク及びスピーカを設け、
所定の操作によって洗車スタッフとの対話画面が前記表示部に表示されることを特徴とする請求項１〜３のいずれかに記載の洗車機。
【発明の詳細な説明】
【技術分野】
【０００１】
本発明は、リモートパネルを備えた洗車機に関する。
【背景技術】
【０００２】
給油所等に設置される従来の洗車機は特許文献１に開示される。洗車機は洗車機本体及びリモートパネルを備えている。
【０００３】
洗車機本体は門型に形成され、被洗浄車両を跨いで前後方向に移動する。洗車機本体の上部や側部には回転ブラシや空気を送出するブロアが設けられる。ブラシはモータにより回転し、洗車時に被洗浄車両に沿って摺動して洗浄する。ブロアはブラシによる洗浄後に空気を送出して被洗浄車両を乾燥させる。
【０００４】
リモートパネルは洗車機本体に対して離れて設置され、操作部、高さ検知センサ及び昇降手段を備えている。操作部は複数の設定ボタンを有し、ユーザが設定ボタンを操作することにより所望の洗車条件を設定する。
【０００５】
高さ検知センサはリモートパネルの面前に停止した被洗浄車両の高さを検知する。昇降手段は高さ検知センサの検知結果に応じてリモートパネル全体を上下に昇降させる。これにより、ドライバーズシートに着席した使用者に面して操作部が配置され、リモートパネルを容易に操作することができる。
【先行技術文献】
【特許文献】
【０００６】
【特許文献１】特開２０１０−１２０５２８号公報
【特許文献２】特開平９−２８２５３４号公報
【発明の概要】
【発明が解決しようとする課題】
【０００７】
しかしながら、上記従来の洗車機によると、リモートパネルに昇降手段が設けられるため、洗車機のコストが高くなるという問題がある。また、被洗浄車両がルーフボックスを天井に搭載した場合やハイルーフタイプの軽自動車の場合に、車高に対して通常よりもドライバーズシートが低い場合がある。このため、操作部がユーザに対して上下方向にずれて配置され、洗車機の利便性が悪くなる問題もあった。
【０００８】
本発明は、コストを削減するとともに、利便性を向上できる洗車機を提供することを目的とする。
【課題を解決するための手段】
【０００９】
上記目的を達成するために本発明は、被洗浄車両に対して洗車機本体を前後方向に相対移動させながら、被洗浄車両の洗車を行う洗車機において、前記洗車機本体に対して離れて設置されるともに、タッチパネルにより形成される表示部を有したリモートパネルを備え、洗車条件を設定する設定画面が、前記表示部のユーザが接触した位置の近傍に表示されることを特徴とする。
【００１０】
また、本発明は上記構成の洗車機において、前記リモートパネルが鉛直な回転軸で回動可能に配されるとともに、前記リモートパネルの面前に停車した被洗浄車両を検知する車両検知センサを備え、前記車両検知センサによる被洗浄車両の検知時に前記表示部が被洗浄車両に面した操作位置に回動されるとともに、前記車両検知センサによる被洗浄車両の非検知時に前記表示部が前記操作位置と異なる方向に向けて回動されることを特徴とする。
【００１１】
また、本発明は上記構成の洗車機において、前記設定画面の周囲に広告画面を表示したことを特徴とする。
【００１２】
また、本発明は上記構成の洗車機において、前記リモートパネルにマイク及びスピーカを備え、所定の操作によって洗車スタッフとの対話画面が前記表示部に表示されることを特徴とする。
【発明の効果】
【００１３】
本発明によると、洗車条件の設定画面が表示部のユーザが接触した位置の近傍に表示されるため、リモートパネルの昇降手段を設ける必要がなく洗車機のコストを削減することができる。また、被洗浄車両の車高に拘わらずユーザの面前に設定画面が表示されるためリモートパネルの操作性が向上し、洗車機の利便性を向上することができる。
【図面の簡単な説明】
【００１４】
【図１】本発明の実施形態の洗車機を示す側面図
【図２】本発明の実施形態の洗車機を示す正面図
【図３】本発明の実施形態の洗車機のリモートパネルを示す正面図
【図４】本発明の実施形態の洗車機のリモートパネルの表示部を示す正面図
【図５】本発明の実施形態の洗車機のリモートパネルの表示部を示す正面図
【図６】本発明の実施形態の洗車機のリモートパネルの表示部を示す正面図
【図７】本発明の実施形態の洗車機のリモートパネルの表示部を示す正面図
【発明を実施するための形態】
【００１５】
以下に本発明の実施形態を図面を参照して説明する。図１、図２は本発明の一実施形態の洗車機ＷＡを示す側面図及び正面図である。洗車機ＷＡは洗車機本体１、レール２及びリモートパネル４０を備えている。洗車機本体１は左右の対向する２つのスタンド部９０と、スタンド部９０の上端を連結する天井部９１とを有して門型に形成される。
【００１６】
レール２は地面Ｇに左右一対設けられ、洗車機本体１の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００１７】
洗車機本体１には被洗浄車両ＣＡ上に摺動してブラッシングする複数の回転ブラシが設けられる。回転ブラシはそれぞれ回転モータ（不図示）によって回転する。トップブラシ４、サイドブラシ５及びロッカーブラシ６から成り、トップブラシ４ｈ被洗浄車両ＣＡの上面に沿って移動し、被洗浄車両ＣＡの上面を洗浄する。サイドブラシ５及びロッカーブラシ６は被洗浄車両ＣＡの両側面を洗浄する。
【００１８】
洗車機本体１の側方には洗剤やワックス等の各種液剤を貯液した複数の貯液タンク（不図示）を収納するタンク収納部５０が配される。タンク収納部５０の上方には市水及び各貯液タンクからの液剤を分配する分配配管部５１が設けられる。分配配管部５１には第１、第２浄水ノズル１１、１３、第１、第２洗剤ノズル１２、１５、撥水コートノズル１４、ワックスノズル１６がそれぞれ電磁弁を介して導出される。
【００１９】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの洗浄液を噴射する。撥水コートノズル１４及びワックスノズル１６は洗車機本体１の後面に配される。撥水コートノズル１４は被洗浄車両ＣＡに対して撥水コート剤の液剤を噴射する。ワックスノズル１６は被洗浄車両ＣＡに対してワックスを噴射する。
【００２０】
また、洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は洗車機本体１の中央上部に設けられ、被洗浄車両ＣＡの天井面に向けて送風する。サイド送風ノズル２２は洗車機本体１の両側部に設けられ、被洗浄車両ＣＡの側面に向けて送風する。トップ送風ノズル２１及びサイド送風ノズル２２の送風によって洗浄後の被洗浄車両ＣＡを乾燥させる。
【００２１】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、各回転ブラシの初期位置や洗車機本体１の走行範囲が決められる。
【００２２】
洗車機本体１の一方のスタンド部９０の前面には操作パネル７が配される。操作パネル７は洗車条件を設定する操作ボタン（不図示）を備え、被洗浄車両ＣＡから降車したユーザ等の操作により洗車の受け付けや洗車条件の設定を行う。
【００２３】
リモートパネル４０は洗車機本体１の進入経路上に立設される。図３はリモートパネル４０を示す正面図である。リモートパネル４０は支柱４２及びパネル本体４６を備えている。支柱４２は地面Ｇに立設され、支柱４２の上端にパネル本体４６が鉛直な回転軸で回動可能に取り付けられる。
【００２４】
パネル本体４６にはマイク４７、スピーカ４８、電子マネー決済部４４、カード決済部４５、車両検知センサ５２、表示部４１が設けられている。マイク４７からはユーザの音声が入力され、スピーカ４８からは洗車スタッフの音声が出力される。
【００２５】
電子マネー決済部４４は、ユーザが使用する携帯電話や事前の決済により発行された二次元コードを読み取り部４４ａにかざすことによって電子マネーにより洗車料金を決済する。カード決済部４５は挿入口４５ａを備え、挿入口４５ａにより挿入された所定のカードを読み取って洗車料金を決済する。
【００２６】
車両検知センサ５２は支柱４２に取り付けられ、リモートパネル４０の面前に停止した被洗浄車両ＣＡを検知する。車両検知センサ５２が被洗浄車両ＣＡを検知すると、リモートパネル４０の表示部４１が被洗浄車両ＣＡに面した位置に回動される。車両検知センサ５２が被洗浄車両ＣＡの非検知時には表示部４１は操作位置とは異なる方向に回動される。
【００２７】
図４〜図７は操作位置に配したリモートパネル４０の表示部４１の正面図を示している。表示部４１は前面にタッチパネルを配した液晶パネル等により形成される。表示部４１上には広告画面４１ａ、設定画面４１ｂ及び対話画面４１ｃが表示される。
【００２８】
設定画面４１ｂは操作位置に配された表示部４１上にユーザが接触した位置の近傍に表示され、洗車条件の設定を行う。図４は表示部４１の下部にユーザが接触した状態を示している。図５は表示部４１の中央部にユーザが接触した状態を示している。図６は表示部４１の上部にユーザが接触した状態を示している。
【００２９】
設定画面４１ｂ上には問合せボタン４１ｄ、洗車コースボタン４１ｅ、装備品設定ボタン４１ｆ等が設けられる。問合せボタン４１ｄは洗車スタッフに対する問合せを指示する。洗車コースボタン４１ｅは洗車コースを選択する。装備品設定ボタン４１ｆは被洗浄車両ＣＡの各装備品の有無を入力する。また、所定の操作によって設定画面４１ｂの拡大表示又は縮小表示を行うことができる。
【００３０】
対話画面４１ｃは設定画面４１ｂ内または設定画面４１ｂの周囲に設けられ、問合せボタン４１ｄの操作によって呼び出された洗車スタッフが映し出される。これにより、ユーザはマイク４７及びスピーカ４８を介して対話画面４１ｃに映された洗車スタッフと対話することができる。
【００３１】
広告画面４１ａはキャンペーン情報等の広告やユーザに対する設定画面４１ｂの操作案内等が表示される。また、広告画面４１ａは設定画面４１ｂの配置に応じて設定画面４１ｂの周囲に表示される。図４に示すように表示部４１の下部に設定画面４１ｂが表示される場合は上部に広告画面４１ａが表示される。図５に示すように表示部４１の中央部に設定画面４１ｂが表示される場合は上部及び下部に分割して広告画面４１ａが表示される。図６に示すように表示部４１の上部に設定画面４１ｂが表示される場合は下部に広告画面４１ａが表示される。
【００３２】
また、設定画面４１ｂが所定の大きさよりも拡大表示された場合には広告画面４１ａを非表示にするようになっている。
【００３３】
図７は待機位置に配したリモートパネル４０の表示部４１の正面図を示している。待機位置では表示部４１上には広告画面４１ａが全面表示され、操作画面４１ｂが非表示になっている。これにより、待機位置で道路等に向けて配した表示部４１の広告画面４１ａによって給油所等の宣伝広告を行うことができる。この時、スピーカ４８から音声の報知も同時に行ってもよい。
【００３４】
リモートパネル４０が待機位置から操作位置に移行すると、非表示状態の操作画面４１ｂが表示部４１上のユーザの接触によって表示される。
【００３５】
上記構成の洗車機ＷＡにおいて、被洗浄車両ＣＡはリモートパネル４０の面前で停車すると、車両検知センサ５２は被洗浄車両ＣＡを検知する。車両検知センサ５２が被洗浄車両ＣＡを検知すると、表示部４１が被洗浄車両ＣＡに面した操作位置に回動される。ユーザが表示部４１に接触すると、接触した位置の近傍に設定画面４１ｂが表示される。ユーザは設定画面４１ｂの操作によって洗車条件の設定を行う。
【００３６】
洗車機本体１が設定された洗車条件に基づいて前後方向に移動して洗浄を開始する。この時、複数の回転ブラシは被洗浄車両ＣＡ上に摺動してブラッシングして洗浄を行う。その後、洗車機本体１の進行方向を反転して乾燥が行われる。この時、ブロア２０から気流が発生して被洗浄車両ＣＡの乾燥が行われる。
【００３７】
本実施形態によると、洗車条件の設定画面４１ｂが表示部４１にユーザが接触した位置の近傍に表示されるため、リモートパネル４０に昇降手段を設ける必要がなく洗車機ＷＡのコストを削減することができる。また、被洗浄車両ＣＡの車高に拘わらずユーザの面前に設定画面４１ｂが表示されるためリモートパネル４０の操作性が向上し、洗車機ＷＡの利便性を向上することができる。
【００３８】
また、車両検知センサ５２による被洗浄車両ＣＡの検知時に表示部４１が被洗浄車両ＣＡに面した操作位置に回動されるとともに、車両検知センサ５２による被洗浄車両ＣＡの非検知時に表示部４１が操作位置と異なる方向に向けて回動される。このため、被洗浄車両ＣＡの非検知時には例えばリモートパネル４０を給油所の外側へ向けて、集客用としてリモートパネル４０を利用することができる。一方、被洗浄車両ＣＡの検知時にはリモートパネル４０を従来のように洗車受付に利用することができる。
【００３９】
また、設定画面４１ｂの周囲に広告画面４１ａを表示したため、操作性を維持しつつ宣伝効果を期待できる。
【００４０】
また、所定の操作により設定画面４１ｂが拡大又は縮小されるため、リモートパネル４０の操作性が向上する。
【００４１】
また、所定の操作によって洗車スタッフとの対話画面４１ｃが表示部４１に表示されるため、リモートパネル４０の利便性が向上する。
【産業上の利用可能性】
【００４２】
本発明によると、リモートパネルを備えた洗車機に利用することができる。
【符号の説明】
【００４３】
１    洗車機本体
２    レール
３    車輪
４    トップブラシ
５    サイドブラシ
６    ロッカーブラシ
７    操作パネル
１０  リモートパネル
１４    撥水コートノズル
１６    ワックスノズル
２０    ブロア
２１    トップ送風ノズル
２２    サイド送風ノズル
４０    リモートパネル
４１    表示部
４１ａ  広告画面
４１ｂ  設定画面
４１ｃ  対話画面
４２    支柱
４３    検知センサ
４４    電子マネー決済部
４４ａ  読み取り部
４５    カード決済部
４５ａ  挿入口
４６    パネル本体
４７    マイク
４８    スピーカ
５２    車両検知センサ
９０    スタンド部
９１    天井部
ＷＡ    洗車機
ＣＡ    被洗浄車両
【図１】
2014184864.tif 000003
【図２】
2014184864.tif 000004
【図３】
2014184864.tif 000005
【図４】
2014184864.tif 000006
【図５】
2014184864.tif 000007
【図６】
2014184864.tif 000008
【図７】
2014184864.tif 000009